(57)【要約】【課題】従来、個人の好みや操作等を学習して個人に適応したシステムはあるが、家庭内のメンバーの認証とそれぞれの権限とを組み合わせた機器制御ができないという問題を有していた。【解決手段】複数ユーザに対して、どのユーザであるかを認証する個人認証手段５００と、個人認証手段５００による認証結果を受けて、一台あるいは複数台の機器５０３，５０４，５０５の制御を行う制御手段５０２とを備え、制御手段５０２は、複数のユーザに対応した制御内容を予め記憶しており、制御手段５０２は、個人認証手段５００による認証結果を受けて、一台あるいは複数台の機器５０３，５０４，５０５に対して、その認証結果から分かる個人に対応する制御内容に従って、制御を行う個人適応制御装置。【選択図】　図５
2004030133.tif 000002
【特許請求の範囲】
【請求項１】
複数ユーザに対して、どのユーザであるかを認証する個人認証手段と、前記個人認証手段による認証結果を受けて、一台あるいは複数台の機器の制御を行う制御手段とを備え、
前記制御手段は、前記複数のユーザに対応した制御内容を予め記憶しており、前記制御手段は、前記個人認証手段による認証結果を受けて、一台あるいは複数台の機器に対して、その認証結果から分かる個人に対応する制御内容に従って、制御を行う個人適応制御装置。
【請求項２】
複数のユーザに対応した制御内容を予めメモリに記憶しておき、アクセスしてくる１名以上の複数ユーザに対して、どのユーザであるかを個人認証手段によって認証し、その認証結果に従って、前記メモリに記憶している制御内容を適用して、機器の制御を行う個人適応制御方法。
【請求項３】
請求項１記載の個人適応制御装置の、前記個人認証手段と前記制御手段としてコンピュータを実行させるためのプログラム。
【発明の詳細な説明】
【０００１】
【発明の属する技術分野】
本発明は、家庭内認証手段を利用した個人適応制御機器に関するものである。
【０００２】
【従来の技術】
近年家庭内の各種家電機器の普及は、非常にめざましいものがある。さらに、ネットワーク時代を迎え家庭内にも電話回線を通じて各種家電機器が接続されつつある。各種家電機器同士の接続方法の標準化等も各種標準化団体によって進められている。
【０００３】
【発明が解決しようとする課題】
ところが、各種家電機器同士の物理的な接続プロトコルの標準化は行われているものの、実際に行われるサービスやデータフォーマットに関しては、何ら決まっておらず、個々の機器に依存したものである。また、従来の家電機器は、誰が使うのかによってサービスの提供形態や機器の操作・制御と言った使い勝手の部分で、使いにくいものであった。
【０００４】
このように、従来の家電機器では、一人以上の複数のユーザが使う場合、個人ごとに合わせたサービス提供形態や機器の操作・制御といった使い勝手が良くなかった。
【０００５】
本発明は、家電などの機器に対して、個人ごとに合わせたサービス提供、ならびに、異なるユーザからの機器制御等を実現可能とする個人適応制御装置を提供することを目的とする。
【０００６】
【課題を解決するための手段】
第１の本発明は、複数ユーザに対して、どのユーザであるかを認証する個人認証手段と、前記個人認証手段による認証結果を受けて、一台あるいは複数台の機器の制御を行う制御手段とを備え、
前記制御手段は、前記複数のユーザに対応した制御内容を予め記憶しており、前記制御手段は、前記個人認証手段による認証結果を受けて、一台あるいは複数台の機器に対して、その認証結果から分かる個人に対応する制御内容に従って、制御を行う個人適応制御装置である。
第２の本発明は、複数のユーザに対応した制御内容を予めメモリに記憶しておき、アクセスしてくる１名以上の複数ユーザに対して、どのユーザであるかを個人認証手段によって認証し、その認証結果に従って、前記メモリに記憶している制御内容を適用して、機器の制御を行う個人適応制御方法である。
第３の本発明は、第１の本発明の個人適応制御装置の、前記個人認証手段と前記制御手段としてコンピュータを実行させるためのプログラムである。
例えば、ユーザＡ、ユーザＢ、ユーザＣといった１名以上の複数ユーザに対して、ユーザＡ、ユーザＢ、ユーザＣのどのユーザであるかを認証する個人認証装置と、個人認証装置からの認証結果を受けて、認証されたユーザ個人ごとに合わせた機器の制御を行う制御装置とをそなえる。機器は、制御装置からの制御信号を元にユーザ個人ごとに合わせ制御される。
【０００７】
次に上記のような構成を有する本発明の動作を説明する。
【０００８】
第１の本発明は、例えば、家族の中において父親、母親、子供と言った複数のユーザについて、予め、個々の鍵に個人を特定できる情報と、それぞれの制御情報とを埋め込んでおき、個人認証装置へそれぞれのユーザが鍵を差し込むと、個人認証装置が個人認証を行う。
【０００９】
個人認証装置により認証された個人ごとの情報を制御装置に転送することにより、例えば、父親が帰ってきた時は、書斎の電灯を点灯させる、居間のテレビのスイッチを入れるというような機器の制御を個人ごとに合わせて行う。
【００１０】
あるいは、両親が不在である時に、子供が帰ってきた場合は、子供の鍵情報があるにも関わらず、両親が不在であるので、制御装置は、ガスレンジ、電気ストーブのような子供だけで取り扱うには危険性を伴う機器の制御を行わない。このようにユーザ個人の特定を行い、それぞれのユーザに合わせた制御を行う。
【００１１】
【発明の実施の形態】
以下、本発明にかかる実施の形態について、図面を参照しながら説明する。
【００１２】
図１は、第一の実施の形態に関する個人適応制御装置に関するブロック図であり、１００は、例えば、ユーザＡ，ユーザＢ，ユーザＣといった一名以上の複数ユーザである。１０１は、一名以上の複数ユーザ１００を識別判断する個人認証装置である。１０２は、個人認証装置１０１の結果をもとに機器の制御を行う制御装置である。１０３は、制御装置１０２により制御される、例えば家電製品のような機器である。
【００１３】
以上のように構成された本実施の形態の個人適応装置の動作を説明する。
【００１４】
例えば、図３に示されるように父親３００、母親３０１、子供３０２のユーザで構成される家庭を想定し、各人、各個人を同定できる鍵（ＩＣカードなど）を所有し、その鍵を用いて、鍵穴３０３という個人認証装置の一例としての手段を駆動する事により、どの個人が利用をしているのか認証することが可能となる。
【００１５】
各個人を認証した結果を制御装置３０４に渡し、各個人に合わせた制御を行う。例えば、父親３００を認証した場合、書斎電灯３０５を自動的に点灯し、父親３００に使いやすいような機器制御を行うことが可能となる。また、母親３０１が認証された場合、台所床暖房３０６の電源を入れ、ガスレンジ３０７を操作可能状態とする。そのために、制御装置１０２のメモリに、各個人特有の制御内容を予め記憶させておく。
【００１６】
さらには、子供３０２が認証された場合、父親３００、母親３０１が認証されていないと、ガスレンジ３０７の操作ができないようにして、安全確保のため、子供３０２のみでのガスレンジ３０７を使用禁止とする。
【００１７】
以上のように、本実施の形態では、各個人の認証を鍵穴３０３を通じて行うことにより、それぞれのユーザに対応した機器制御・使用禁止を行い、安全快適に機器を使用することが可能となる。
【００１８】
第２図は制御される機器が複数の場合の実施の形態を示すものである。その構成、動作は上記実施の形態と同様である。
【００１９】
具体的に説明すると、上記個人認証装置１０１は、例えば次の通りの構成を有する。
【００２０】
図４に示すように、個人認証に用いられれる鍵は、父親鍵４００、母親鍵４０１、子供鍵４０２のような、鍵本来の機能としての開錠機能に関わる共通鍵部と、個人を認証するための個人認証部から構成される。共通鍵部を利用して、ドアの開錠が行われ、同時に、個人認証部を利用して、鍵の所有者の認証が行われる。
【００２１】
なお、鍵は物理的な鍵のみならず、電子カードのようなデジタルデータ記録媒体において、共通暗証番号＋個人ＩＤ番号等の構成をしても構わない。
【００２２】
また、上記制御装置１０２は、具体的には例えば次の通りの構成を有する。
【００２３】
図５に示すように、個人認証された後の個人ＩＤ５００と利用機器対応テーブル５０１を人力として、判断装置５０２が、例えば、個人ＩＤが父親の場合は、制御テーブル５０１を参照し、書斎電灯５０３をＯＮに制御し、台所床暖房５０４をＯＦＦにし、ガスレンジ５０５をＯＦＦにする。また、複数の個人ＩＤが、人力される場合は、それぞれＯＮに制御する。例えば、個人ＩＤ５００が子供だけとした場合、ガスレンジ５０５の制御はＯＦＦとなり、子供が勝手にガスレンジ５０５を操作しようとしても、動作しないようになっているが、個人ＩＤ５００に同時に子供と母親の人力があった場合は、ガスレンジ５０５の制御はＯＮとなり、機器の利用を行うことができる。
【００２４】
なお、上記のように鍵穴は、本人を認証できるものであれば、鍵のみでなく、ＩＤカード、各種センサー、画像認識等でも構わない。
【００２５】
また、本発明は、上記個人認識装置と上記制御装置をコンピュータを利用してソフトウェア的に実現する場合のプログラムである。あるいはそのプログラムを格納した媒体も本発明の関連する発明である。
【００２６】
【発明の効果】
以上述べたところから明らかなように本発明は、個人ごとに合った機器制御を行うことにより安全で使いやすい機器操作を提供できるという長所を有する。
【図面の簡単な説明】
【図１】本発明の一実施の形態における個人適応制御装置のブロック図
【図２】本発明の一実施の形態における個人適応制御装置のブロック図
【図３】本発明の一実施の形態における個人適応制御装置のブロック図
【図４】本発明の本発明の他の実施の形態における個人適応制御装置のブロック図
【図５】本発明の本発明の他の実施の形態における個人適応制御装置のブロック図
【符号の説明】
１００　１名以上の複数ユーザ
１０１　個人認証装置
１０２　制御装置
１０３　機器
２００　ユーザＡ
２０１　ユーザＢ
２０２　ユーザＣ
２０３　個人認証装置
２０４　制御装置
２０５　機器１
２０６　機器２
２０７　機器３
２０８　機器Ｎ
３００　父親
３０１　母親
３０２　子供
３０３　鍵穴
３０４　制御装置
３０５　書斎電灯
３０６　台所床暖房
３０７　ガスレンジ
【図１】
2004030133.tif 000003
【図２】
2004030133.tif 000004
【図３】
2004030133.tif 000005
【図４】
2004030133.tif 000006
【図５】
2004030133.tif 000007